(57)【特許請求の範囲】
【請求項１】
各々個別に運転、休止できる複数台の室内機を備えた空気調和機において、前記室内機に各々電子式膨張弁と、熱交換器の出口冷媒温度を検出する出口冷媒温度センサ、および吸込み温度を検出する吸込み温度センサとを備えてなり、暖房運転時において休止側室内機の熱交換器の出口冷媒温度と、吸込み温度との温度差を検出し、この温度差が予め設定された温度の設定値と比較し、設定温度より小さければ膨張弁開度を少し開けるように修正し、前記温度差の値が設定値以上になるまで繰り返し調整を行い、冷媒の溜まり込みがないように前記電子式膨張弁を適正開度に制御するとともに、暖房運転時において休止且つ送風状態に設定された休止側室内機の熱交換器の出口冷媒温度と吸込み温度との温度差により、膨張弁開度を変化させ、吹出し温度の吸込み温度に対する上昇度と、予め設定された温度設定値と比較し、設定温度より小さくなるように膨張弁の開度を少しづつ調整を繰り返して、膨張弁の開度を制御することにより吹出し温度を調整することを特徴とする空気調和機。
【請求項２】
各々個別に運転、休止できる複数台の室内機を備えた空気調和機において、前記室内機に各々電子式膨張弁と、熱交換器の中央冷媒温度を検出する中央冷媒温度センサ、および吸込み温度を検出する吸込み温度センサとを備えてなり、暖房運転時において休止側室内機の熱交換器の中央冷媒温度と、吸込み温度との温度差を検出し、この温度差が予め設定された温度の設定値と比較し、設定温度より小さければ膨張弁開度を少し開けるように修正し、前記温度差の値が設定値以上になるまで繰り返し調整を行い、冷媒の溜まり込みがないように前記電子式膨張弁を適正開度に制御するとともに、暖房運転時において休止且つ送風状態に設定された休止側室内機の熱交換器の中央冷媒温度と吸込み温度との温度差により、膨張弁開度を変化させ、吹出し温度の吸込み温度に対する上昇度と、予め設定された温度設定値と比較し、設定温度より小さくなるように膨張弁の開度を少しづつ調整を繰り返して、膨張弁の開度を制御することにより吹出し温度を調整することを特徴とする空気調和機。
【発明の詳細な説明】
【０００１】
【発明の属する技術分野】
この発明は、室内機を複数台備えた、いわゆる室内マルチ型の空気調和機に関するものである。
【０００２】
【従来の技術】
従来、室内マルチ型の空気調和機においては、暖房時において休止室内機があると一部の冷媒が休止室内機に流れて放熱されるため、運転側室内機の性能が低下する問題がある。
この問題を解決するために、室内機各々に電子式膨張弁を設けると共に、暖房時における休止室内機の膨張弁を、同室内機における熱交換器の冷媒出入口温度の差により冷媒溜まり込みがない程度にできるだけ少しづつしか流れないように膨張弁の開度を最小開度に制御し、これにより運転側室内機の性能低下を防止すると共に、休止室内機側に冷媒が溜り込んで冷媒不足になる様なことを防止するようにしている。
【０００３】
図１０は、例えば実開昭６２−４３２６９号公報に示された上記した従来の室内マルチ型空気調和機の構成を示す冷媒回路図である。
図において、空気調和機は２つの室内機Ａ，Ｂユニットより構成されており、ここで、１は圧縮機、２は四方弁、３は冷媒配管、４ａはＡユニットの室内熱交換器、４ｂはＢユニットの室内熱交換器、５ａ，５ｂはマイコン等を利用して自由に開度調整できる電子式膨張弁、６は冷媒配管、９は室外熱交換器、１３はアキュームレータ、１１ａ，１１ｂは室内ファン、１２は室外ファンであり、また室内熱交換器４ａ，４ｂの入口および出口の配管に取り付けられた入口および出口冷媒温度センサ１０１ａ，１０１ｂ，１０２ａ，１０２ｂで構成されており、冷媒が実線矢印の如く流れることにより暖房運転がなされ、点線矢印の如く流れることにより冷房運転がなされる。
【０００４】
以上のように構成された冷媒回路において、暖房運転時Ａユニットが運転され、Ｂユニットが休止されて室内ユニットが一台しか運転されていない時は、Ｂユニットの膨張弁５ｂの開度をＢユニットの熱交換器の冷媒出入口温度の差により、同温度差が適温となるように、すなわち冷媒が室内交換器４ｂに溜り込まない程度にできるだけ少しづつしか流れないように膨張弁５ｂの開度を決めてやる。
この時の膨張弁の開度決定は、室内熱交換器４ｂの入口および出口に取付けられた冷媒温度センサ１０１ｂ，１０２ｂの検出温度をそれぞれＴ１，Ｔ２とした時、その温度差（Ｔ１−Ｔ２）が適温となるよう休止側のＢユニットの膨張弁５ｂの開度を決定することにより成され、図１０の実線矢印に示すように冷媒が流れる。
【０００５】
なお、膨張弁５ａ，５ｂは０（全閉）〜１００（全開）％まで開度を調整できる電子式の膨張弁が使用されている。
今、暖房運転が開始されると図１０に示す実線矢印の方向に冷媒が流れ、四方弁、冷媒配管３、３ａ，３ｂを通り室内熱交換器４ａ，４ｂで熱交換され冷却されて液冷媒となる。
この液冷媒は膨張弁５ａ，５ｂで一回減圧され、冷媒配管６ａ，６ｂから６を経て膨張弁７で更に減圧され室外熱交換器９で加熱されてガス冷媒となり、四方弁２、アキュームレータ１３を通って圧縮機１へ戻る。
【０００６】
ここで、一方の室内熱交換器ユニットであるＢユニットが休止の場合の膨張弁５ａ，５ｂの開度決定のコントロールを説明する。
暖房運転が始まるとコントローラ１００は室内熱交換器ユニットの運転が１台か２台かを確認し、２台だと各々決められた膨張弁開度となるように膨張弁５ａ，５ｂに開度を指示する。
【０００７】
次に暖房運転はＡユニット１台だとすると、Ａユニットは決められた膨張弁５ａの開度となるが、Ｂユニットの膨張弁５ｂの開度は一旦０（全閉）とされる。しかし小時間経過後、膨張弁５ｂは少し開けられ室内熱交換器４ｂの入口と出口の配管の冷媒温度センサ１０１ｂの温度Ｔ１と、１０２ｂの温度Ｔ２を検知してＴ１−Ｔ２を計算し、この値が熱交換器への冷媒溜まり込み量がない程度の時に示す設定値と比較し、この設定値より小さければ熱交換器には冷媒が溜まり込んでいると判断して膨張弁５ｂの開度は更に少し開けられ、Ｔ１−Ｔ２が設定値になるまで繰り返す。すなわちＴ１−Ｔ２の値が設定温度範囲内に保たれるように膨張弁５ｂの開度は制御される。
【０００８】
なお、冷房運転時には暖房運転時におけるような冷媒の溜まり込みは発生しないので、休止ユニットがあれば休止側の膨張弁は単に閉とされる。
また、通常Ａユニット、Ｂユニットの両方が暖房運転される場合は、公知の如くＡ，Ｂユニットのそれぞれの負荷によって各々膨張弁５ａ，５ｂの開度は決まるのでこの説明は省略する。
【０００９】
【発明が解決しようとする課題】
上記に説明したように、従来の室内マルチ型の空気調和機においては、暖房時において休止ユニットがある場合、休止ユニットへの冷媒の溜まり込みを防止するために室内熱交換器の入口と出口の配管に取付けられた冷媒温度センサの温度差により電子式膨張弁の開度を制御している。
【００１０】
しかしながら、通常圧縮機から吐出され室内交換器に流入する冷媒は過熱ガス状態であり、膨張弁の開度を適正開度（最小開度）とするためには、膨張弁の開度を一旦０（全閉）とし、凝縮させた液冷媒を一旦室内熱交換器および室内熱交換器の出口配管部に溜め込まなければならず、適正開度へ開度制御できれば溜まり込んだ冷媒は回収できるが初期時における正常運転を維持するためにはかなり多量の冷媒量が必要であり、結果的に封入冷媒量を多くしなければならないと言う問題があった。
【００１１】
また、室内熱交換器の入口と出口の配管温度差（冷媒温度差）で電子膨張弁の制御をしているため、適正開度となった時の冷媒の室内熱交換器への溜まり込み状態は、室内熱交換器の出口部まで達していないと言うだけであって、膨張弁の開度を０（全閉）から開度制御しているため通常最小開度で安定しても室内熱交換器内には相当量の冷媒の溜まり込みがあり、正常な空気調和機の運転を維持するためには、この溜まり込む冷媒量を考慮した封入冷媒量とする必要があり、結果として封入冷媒量が多くなると言った問題があった。
【００１２】
また、暖房時における休止ユニットが送風運転を行った場合、膨張弁は最小開度で制御されて圧縮機から供給される少量の冷媒を流しており、この圧縮機から供給される冷媒は通常は過熱ガスであり室内熱交換器で凝縮し液冷媒となって室外熱交換器のユニットへ返されるが、その時の凝縮による放熱分が送風運転の吹出し温度の上昇につながり、室内熱交換器の入口と出口との配管温度差（冷媒温度差）による膨張弁開度の制御では室内吸込み温度に対する吹出し温度の上昇度が把握できないと言う問題があり、吹出し温度の上昇を成り行きまかせにせざるを得ないと言った問題があった。
【００１３】
【課題を解決するための手段】
この発明は、上記の問題を解決するためになされたもので、室内マルチ型の空気調和機において、暖房運転時に室内ユニットの吸込み温度を検出する吸込み温度センサと、室内熱交換器の出口もしくは中央冷媒温度を検出する出口冷媒温度センサ、中央冷媒温度センサと、冷媒流量を制御する電子式膨張弁を備えることにより、暖房運転時における休止ユニットの冷媒の溜まり込みの判定を、室内熱交換器の出口冷媒温度もしくは中央冷媒温度と室内吸込み温度の温度差により検出し、その結果に照らして電子式膨張弁の開度を適正に制御し、室内熱交換器への冷媒の溜まり込みを防止して、封入冷媒量を抑制すると共に、暖房運転時において休止且つ送風状態に設定された休止側室内機の熱交換器の出口冷媒温度と吸込み温度との温度差により、膨張弁開度を変化させ、吹出し温度の吸込み温度に対する上昇度と、予め設定された温度設定値と比較し、設定温度より小さくなるように膨張弁の開度を少しづつ調整を繰り返して、膨張弁の開度を制御することにより吹出し温度を調整することを特徴とする空気調和機を提供するものである。
【００１４】
上記の手段によるこの発明においては、空気調和機が暖房運転で暖房運転ユニットと、休止ユニットとが混在する時、休止ユニットの電子式膨張弁の所定開度は０％（全閉）に近い微小開度に設定し、次いで休止ユニットの熱交換器の出口冷媒温度と休止ユニットの吸込み温度との温度差を検出して予め設定した所定の設定値と比較して、その値が所定値以下ならば電子式膨張弁の開度を一定量アップする。
【００１５】
この操作を定期的に繰り返し、休止ユニットの熱交換器の出口冷媒温度と休止ユニットの吸込み温度との温度差が所定の設定値を越えたら電子式膨張弁の開度は安定することになる。
【００１６】
このように電子式膨張弁の開度を制御することによって、休止ユニットの室内熱交換器に溜まり込む冷媒量を、室内熱交換器に溜り込む以前に冷媒の溜り込みを検出することによって最低限にすることができ、冷媒の封入量を抑制するとともに冷媒の溜り込みによる冷媒不足も防止することができる。
【００１７】
また、休止ユニットが単に送風運転している場合には、吹出し温度を熱交換器の中央冷媒温度から検出し、予め設定した所定の設定値と比較して、その値が所定値以下ならば電子式膨張弁の開度を一定量絞る。この操作を定期的に繰り返し、休止ユニットの熱交換器の中央冷媒温度と休止ユニットの吸込み温度との温度差が所定の設定値以下になれば電子式膨張弁の開度は安定することになる。
このように電子式膨張弁の開度を制御することによって、室温の上昇を抑制し快適性を向上させることができる。
【００１８】
【発明の実施の形態】
実施の形態１．
以下、この発明の第１の実施の形態を図１から図５を用いて説明する。図１は第１の実施の形態による空気調和機の系統構成図である。図において空気調和機は室外機ユニットＣと、２つの室内機でユニットＡ，Ｂより構成されている。
ここで、１は圧縮機、２は四方弁、３は冷媒配管、４ａはユニットＡの室内熱交換器、４ｂはユニットＢの室内熱交換器、５ａ，５ｂはマイコン等を利用して自由に開度を調整できる電子式膨張弁、６は冷媒配管、９は室外熱交換器、１１ａ，１１ｂは室内ファン、１２は室外ファン、１３はアキュームレータ、１０２ａ，１０２ｂは室内熱交換器４ａ，４ｂの出口配管に取付けられた出口冷媒温度センサ、１０３ａ，１０３ｂは室内ユニットＡ，Ｂの各々の吸込み空気の温度を検出することができる個所に取付けられた吸込み温度センサ、１００は上記出口冷媒温度センサ１０２ａ，１０２ｂ，および吸込み温度センサ１０３ａ，１０３ｂ，および電子式膨張弁５ａ，５ｂを制御するコントローラで構成されており、冷媒が実線矢印の如く流れることにより暖房運転がなされる。
【００１９】
このように構成された空気調和機の暖房運転時において、室内ユニットＡは暖房運転，室内ユニットＢは休止とすると、休止ユニットである室内ユニットＢは室内空調空間の温度分布の均一化を図るために送風運転をしている。そして、この状態における休止ユニットである室内ユニットＢの電子式膨張弁５ｂの開度は、冷媒が室内熱交換器４ｂ等に溜まり込まない程度に、すなわち冷媒が溜まり込まない程度にできるだけ少しづつしか流れないような開度に決めてやる。以下にこの場合における電子式膨張弁５ｂの開度決定の一連の動作について説明する。
なお、電子式膨張弁５ａ，５ｂは０（全閉）〜１００％（全開）までの開度調整をマイコン等でコントロールできる膨張弁が使用されているもので、これら電子式膨張弁５ａ，５ｂは以下の説明では単に膨張弁と略記する。
【００２０】
まず、暖房運転が開始されると図１に示す矢印の方向に冷媒は流れ、四方弁２、冷媒配管３、３ａ，３ｂを通り室内熱交換器４ａ，４ｂで熱交換されて液冷媒となり、膨張弁５ａ，５ｂで減圧され、冷媒配管６ａ，６ｂ、６を経て室外熱交換器９で加熱されガス冷媒となり、四方弁２、アキュームレータ１３を経て圧縮機１へ戻る。
【００２１】
暖房運転が始まるとコントローラ１００は室内器の運転が１台か、２台かを確認し、ユニットＢは休止、ユニットＡの１台だけが暖房運転だとすると、運転側の室内ユニットＡはその与えられた負荷に応じた膨張弁開度になるよう膨張弁５ａが開度指示され、休止側の室内ユニットＢの膨張弁５ｂの開度は次に述べる所定の値に設定される。
【００２２】
この時の休止ユニットである室内ユニットＢに与えられる膨張弁開度について図２を用いて説明する。
図２は、休止ユニット（ただし送風運転）に与える膨張弁開度と冷媒流量、吹出し空気温度の吸込み温度に対する上昇温度、休止側の室内熱交換器に溜り込む冷媒量の関係を示す特性図である。
【００２３】
この図２によれば、休止ユニットに与える膨張弁開度が０％（全閉）の場合、休止ユニットに流れる冷媒量、および吹出し温度に対する上昇温度は共に０となるが、室内熱交換器に溜まり込む冷媒量は最大となる。膨張弁の開度を０％（全閉）から開いて行くと、室内熱交換器に溜まり込む冷媒量は減少して行くが、休止ユニットに流れる冷媒流量は増加し、吹出し温度の吸込み温度に対する上昇度も増加する。
【００２４】
一般的に膨張弁の開度に対する室内熱交換器に溜まり込む冷媒量の増加と、吹出し温度の吸込み温度に対する上昇度は相反する関係にあり、その他の与えられた条件を含めて最も適切な膨張弁の開度を選択するのが通常であり、個々の空気調和機において適切と言える休止ユニットの膨張弁開度が存在する。
【００２５】
図３は膨張弁の流量のばらつき特性を示した概念図である。
一般的に膨張弁には機械的な製造誤差による影響と、経年変化による影響により冷媒流量のずれ（流量ばらつき）が発生する。従って、図２に示す室内熱交換器への冷媒溜まり込み量と、吹出し温度の吸込み温度に対する上昇度の関係から適切な休止ユニットの膨張弁開度を決定しても、図３に示すように冷媒流量のずれが発生するため必ずしも適切な休止ユニットの膨張弁開度が得られるとは限らないと言った別の問題が発生する。
【００２６】
また、流量０となる膨張弁の開度は必ずしも開度０％ではなく、ある程度の開度になった時点で冷媒の流量が得られる特性となる膨張弁が多く、上記の流量のずれにより流量０となる膨張弁開度もずれ（膨張弁開度ばらつき）が発生する。
【００２７】
以上の点から休止ユニットの膨張弁開度は、図２より得られた冷媒が多量に溜まり込まない程度の微小な値、すなわち適正膨張弁開度よりも低めに設定されるのが通例である。
しかし、同時に冷媒流量を微小とする目的のために膨張弁開度を低めの設定にしすぎると、膨張弁開度のずれ（膨張弁開度のばらつき）により流量０となり、室内熱交換器に溜まり込む冷媒量が大となってしまう可能性が高くなる。
また、流量０を回避するために膨張弁開度を高めに設定すると室内熱交換器に溜まり込む冷媒量は少なくなるが、冷媒の流量が増大し、吹出し温度の吸込み温度に対する上昇度が大きくなってしまう。
【００２８】
そこで、適切な膨張弁開度を得るための手段を図５に基づいて以下に説明する。
図５は膨張弁開度の決定手順を示すフローチャートで、休止ユニットＢの膨張弁開度を所定の開度に設定後、圧縮機を運転し、室内熱交換器の出口冷媒温度センサ１０２ｂにより出口冷媒温度Ｔ２を検出すると共に、吸込み温度センサ１０３ｂにより吸込み温度Ｔ１を検出する。そして、出口冷媒温度と吸込み温度との温度差（Ｔ２−Ｔ１）を計算し、この温度差（Ｔ２−Ｔ１）が予め設定された温度の設定値と比較し、設定温度より小さければ熱交換器には冷媒が溜まり込んでいるので、膨張弁開度を少し開けるように修正する。
【００２９】
つぎに、再度、出口冷媒温度と吸込み温度との温度差（Ｔ２−Ｔ１）を計算し、この温度差（Ｔ２−Ｔ１）が予め設定された温度の設定値と比較し、設定温度より小さければ膨張弁開度を少し開けるように修正する。このように膨張弁開度を少しづつ調整して上記の出口冷媒温度と吸込み温度との温度差（Ｔ２−Ｔ１）の値が設定値以上になるまで繰り返す。
【００３０】
ここで、図４を用いて温度差（Ｔ２−Ｔ１）の設定値について説明する。
図4は膨張弁の開度変化に対する運転特性を示したもので、休止ユニットが送風運転を実施している場合、風量は通常の暖房運転時とほぼ等しく室内熱交換器の熱交換能力は暖房運転とほぼ等しくなっている。
休止ユニットの場合、通常の暖房運転の時と比較し膨張弁開度は極めて小さく設定され、冷媒流量はごく僅かな量となる。暖房時室内熱交換器は圧縮機から流れてくる高温過熱ガスを冷却し液冷媒とするが、休止ユニットの場合、暖房運転時と比較し熱交換能力はほぼ等しいにも拘わらず（暖房運転時の冷媒流量）＞＞(休止時の冷媒流量)となっているため、休止ユニットの冷媒は通常の暖房時に比べて遥かに冷却する。
【００３１】
この関係は冷媒流量を決定する膨張弁開度と密接な関係にあり、膨張弁開度を小さくして行くほど冷媒温度は低下し、ある開度からは吸込み温度と冷媒温度とが一致する。この特性を利用して冷媒流量および冷媒が流れているか否かの判断が可能であり、ほぼ適正な冷媒流量を確保するための熱交換器の出口冷媒温度と吸込み温度との温度差（Ｔ２−Ｔ１）の値の範囲を決定し、膨張弁開度を制御することによって最終的に最適開度を得ることができる。
【００３２】
従って、上記した特性の相関を利用して、膨張弁開度の最適値を設定すると共に、この最適値と熱交換器の出口冷媒温度と吸込み温度との温度差（Ｔ２−Ｔ１）の値とを比較して膨張弁の開度を修正して、繰り返し調整を行い最適な膨張弁開度に到達することができると共に、膨張弁の機械的公差のばらつき、および経時劣化による開度のずれに対してもその影響を排除することができる。
なお、この実施の形態における目的を達成する上で、室内熱交換器の出口冷媒温度センサ１０２ａ，１０２ｂは膨張弁と室内熱交換器を接続する配管のいずれかの個所に設置すれば良いものである。
【００３３】
実施の形態２．
この発明の第１の実施の形態においては、熱交換器の出口冷媒温度と吸込み温度との温度差（Ｔ２−Ｔ１）の値とを比較して膨張弁の開度を決定したが、図１の冷媒回路構成により、暖房運転および暖房休止ユニットの吹出し温度の制御を行うことができる。すなわち、室内熱交換器４ａ，４ｂ、室内熱交換器の出口冷媒温度センサ１０２ａ，１０２ｂ、および室内吸込み温度センサ１０３ａ，１０３ｂにおいて、室内吸込み温度センサ１０３ａ，１０３ｂにより検出された室内吸込み温度に対する熱交換器の出口冷媒温度を出口冷媒温度センサ１０２ａ，１０２ｂにより検出し、吸込み温度に対する吹出し温度の上昇度の相関、および吹出し温度に対する出口冷媒温度との相関から吹出し温度そのものを膨張弁開度によって制御することが可能となる。
【００３４】
図６および図７は、この実施の形態２を説明するための膨張弁開度変化に対する運転特性を示したもので、図６により膨張弁開度を大きくすることによって冷媒流量が増大し、吹出し温度は上昇し、結果として（吹出し温度−吸込み温度）は上昇する特性となる。この特性を利用して、熱交換器の出口冷媒温度と吸込み温度との温度差（Ｔ２−Ｔ１）により図８の膨張弁開度の決定手順を示すフローチャートのように膨張弁開度を変化させ、吹出し温度の吸込み温度に対する上昇度と、予め設定された温度設定値と比較し、設定温度より小さくなるように膨張弁の開度を少しづつ調整を繰り返して、膨張弁の開度を制御することにより吹出し温度を調整でき、結果として休止ユニットの室温の上昇を抑制することができ、快適性の向上につなげることができる。
【００３５】
また、図７により膨張弁開度を変化させた時の熱交換器の出口冷媒温度Ｔ２と吹出し温度の変化の特性を利用して、この相関から熱交換器出口冷媒温度Ｔ２を膨張弁開度でコントロールすることによって吹き出し温度を制御することもできる。
【００３６】
実施の形態３．
次に、この発明の第３の実施の形態を図９を用いて説明する。図９は実施の形態１に用いた図１の冷媒回路に対して、室内熱交換器の出口冷媒温度センサ１０２ａ，１０２ｂの代わりに室内熱交換器の中央冷媒温度を検出するための中央冷媒温度センサ１０４ａ，１０４ｂを取付けることにより、（室内熱交換器の中央冷媒温度−吸込み温度）を検出し、この値と予め設定した温度と比較して前記した実施の形態１および実施の形態２と同様に膨張弁開度の制御行って適正な膨張弁の開度を決定することができる。
【００３７】
【発明の効果】
この発明によれば、各々個別に運転、休止できる複数台の室内機を備えた空気調和機において、前記室内機に各々電子式膨張弁と、熱交換器の出口冷媒温度を検出する出口冷媒温度センサ、および吸込み温度を検出する吸込み温度センサとを備えてなり、暖房運転時において休止側室内機の熱交換器の出口冷媒温度と、吸込み温度との温度差を検出し、この温度差が予め設定された温度の設定値と比較し、設定温度より小さければ膨張弁開度を少し開けるように修正し、前記温度差の値が設定値以上になるまで繰り返し調整を行い、冷媒の溜まり込みがないように前記電子式膨張弁を適正開度に制御するとともに、暖房運転時において休止且つ送風状態に設定された休止側室内機の熱交換器の出口冷媒温度と吸込み温度との温度差により、膨張弁開度を変化させ、吹出し温度の吸込み温度に対する上昇度と、予め設定された温度設定値と比較し、設定温度より小さくなるように膨張弁の開度を少しづつ調整を繰り返して、膨張弁の開度を制御することにより吹出し温度を調整するものである。これによって休止ユニットの室内熱交換器への冷媒の溜まり込み量を最低限にすることが可能となり、さらには空気調和機に封入する冷媒量を最低限に抑制しつつ、かつ冷媒不足での運転をも防止することができる。
また、膨張弁の機械的公差によるばらつきや経時劣化による冷媒流量のずれに対しても、常に最適な膨張弁の開度となるように制御することが可能となり、その影響を排除することができる。
【００３８】
また、室内熱交換器の暖房時における暖房運転ユニット、および休止ユニットに対して室内熱交換器の出口冷媒温度もしくは中央冷媒温度と吸込み温度との温度差により、膨張弁開度を変化させ、吹出し温度の吸込み温度に対する上昇度と、予め設定された温度設定値と比較し、設定温度より小さくなるように膨張弁の開度を少しづつ調整を繰り返して、膨張弁の開度を制御することにより吹出し温度を調整でき、結果として休止ユニットの室温の上昇を抑制することができ、快適性の向上が図れる。
【図面の簡単な説明】
【図１】  この発明による第１の実施の形態の系統構成を示す図である。
【図２】  この発明による第１の実施の形態における膨張弁開度変化に対する空気調和機の運転特性を示す図である。
【図３】  この発明による第１の実施の形態における膨張弁開度変化と冷媒流量の関係特性を示す説明図である。
【図４】  この発明による第１の実施の形態における膨張弁開度変化に対する空気調和機の運転特性を示す説明図である。
【図５】  この発明による第１の実施の形態における膨張弁開度の決定手順を示すフローチャートである。
【図６】  この発明による第２の実施の形態における膨張弁開度変化に対する空気調和機の運転特性を示す図である。
【図７】  この発明による第２の実施の形態における膨張弁開度変化に対する空気調和機の運転特性を示す図である。
【図８】  この発明による第２の実施の形態における膨張弁開度の決定手順を示すフローチャートである。
【図９】  この発明による第３の実施の形態の系統構成を示す図である。
【図１０】  従来の空気調和機の系統構成を示す図である。
【符号の説明】
１  圧縮機、  ２  四方弁、  ３，３ａ，３ｂ  冷媒配管、  ４ａ，４ｂ  室内熱交換器、  ５ａ，５ｂ  電子式膨張弁、  ６，６ａ，６ｂ  冷媒配管、  ９室外熱交換器、  １１ａ，１１ｂ  室内送風機、  １２  室外送風機、  １００  コントローラ、  １０２ａ，１０２ｂ  出口冷媒温度センサ、  １０３ａ，１０３ｂ  吸込み温度センサ、  １０４ａ，１０４ｂ  中央冷媒温度センサ、  Ａ  室内ユニットＡ，  Ｂ  室内ユニットＢ，  Ｃ  室外ユニット。
【図１】
0003736969.tif 000002
【図２】
0003736969.tif 000003
【図３】
0003736969.tif 000004
【図４】
0003736969.tif 000005
【図５】
0003736969.tif 000006
【図６】
0003736969.tif 000007
【図７】
0003736969.tif 000008
【図８】
0003736969.tif 000009
【図９】
0003736969.tif 000010
【図１０】
0003736969.tif 000011